(57)【要約】【課題】スレート屋根等といった取付側部分に対する、ソーラーパネル等といった載置パネルの高さ調整を容易に行なえるようにする。【解決手段】パネル取付用金具１は、一対の内側及び外側の側壁１０，１１、１５，１６と、取付側部分４又は載置パネル側の何れか一方に固定される第一の基壁９と、何れか他方に固定される第二の基壁１４と、一対の内側の側壁の外面において高さ方向に並列に設けられた高さ調整用の複数の外向きの歯部１３と、一対の外側の側壁の内面において高さ方向に並列に設けられ、外向きの歯部１３に係合する高さ調整用の複数の内向きの歯部１７と、各歯部１３，１７の係合状態で内外の側壁を相互に固定する締付部材５と、を備えている。【選択図】図１
2017071921.tif 000002
【特許請求の範囲】
【請求項１】
スレート屋根等といった取付側部分に、ソーラーパネル等といった載置パネルを固定するためのパネル取付用金具であって、
一対の内側の側壁と、一対の外側の側壁と、該一対の内側の側壁を連結し、前記取付側部分又は前記載置パネル側の何れか一方に固定される第一の基壁と、該一対の外側の側壁を連結し、前記取付側部分又は前記載置パネル側の何れか他方に固定される第二の基壁と、該一対の内側の側壁の外面において高さ方向に並列に設けられた高さ調整用の複数の外向きの歯部と、該一対の外側の側壁の内面において高さ方向に並列に設けられ、該外向きの歯部に係合する高さ調整用の複数の内向きの歯部と、各歯部の係合状態で、該一対の外側及び内側の側壁を相互に固定する締付部材と、を備えたことを特徴とするパネル取付用金具。
【請求項２】
前記一対の外側の側壁のうちの何れか一方の側壁が前記第二の基壁とは分離され、該一方の側壁に、該第二の基壁に重なる可動壁が設けられ、前記締付部材による固定解除状態で、該可動壁が、前記内側の側壁に対して該一方の側壁を外側に開く方向に、且つ前記歯部同士の係合を解除するまで移動可能であることを特徴とする請求項１記載のパネル取付用金具。
【請求項３】
前記可動壁の先端に縦方向の内側の突部が設けられ、前記第二の基壁に、縦方向の支持壁と、該支持壁の先端から外向きに突出した鍔壁と、該鍔壁の先端から縦方向に突出し、該内側の突部に対向する外側の突部と、が設けられ、該第二の基壁と該鍔壁との間に該可動壁及び該内側の突部が内外方向スライド自在に係合したことを特徴とする請求項２記載のパネル取付用金具。
【請求項４】
前記一対の内側の側壁又は前記一対の外側の側壁の何れか一方に、高さ方向に長い孔部が設けられ、前記一対の内側の側壁又は前記一対の外側の側壁の何れか他方に、高さ方向に短い孔部が設けられ、該長い孔部と該短い孔部とに前記締付部材であるボルトが挿通されると共に該ボルトにナットが螺合され、完全締付状態の該ナットから該ボルトの先端側が突出することを特徴とする請求項２又は３記載のパネル取付用金具。
【請求項５】
前記第二の基壁に設けた孔部に第二のボルトが上向きに挿通され、前記一対の内側の側壁の間において前記締付部材であるボルトにスリーブが外挿され、該第二のボルトの下側の頭部が該スリーブに対向し、該頭部と該スリーブとの間の隙間が、該孔部からの該第二のボルトの突出長さよりも小さく規定されたことを特徴とする請求項４記載のパネル取付用金具。
【発明の詳細な説明】
【技術分野】
【０００１】
本発明は、屋根等といった取付側部分にソーラーパネルや緑化ベース等といった載置パネルを取り付けるためのパネル取付用金具に関するものである。
【背景技術】
【０００２】
従来、家屋等のスレート屋根等といった取付側部分に、ソーラーパネルや緑化ベース等といった載置パネルを取り付けるために、種々のパネル取付用金具が提案されている。なお、スレート屋根とは、セメント等の材料を高温高圧下で板状に成型した複数のスレート板を用いた軽量・安価な屋根のことである。
【０００３】
例えば、特許文献１（図示せず）には、スレート屋根にフックボルト等で断面逆凹字状の支持部材を固定し、支持部材にかぶせボルト等で断面横凹字状のアングル材を固定し、アングル材に架台を介して屋根設置物としての太陽電池モジュールを固定することが記載されている。
【０００４】
また、特許文献２（図示せず）には、スレート葺き屋根に複数の架台支持装置をネジ釘で固定し、各架台支持装置に枠状のガイドレールをねじ止めで固定し、ガイドレールに屋根上設置パネルとしての太陽電池モジュールを固定したことが記載されている。
【０００５】
この架台支持装置は、上向きの支持ボルトに上下一対のナットを螺合し、一対のナットの間にガイドレール支持部を挟んだ上下位置調整手段を備えている。
【０００６】
また、特許文献３（図示せず）には、スレート葺き屋根の上側のスレート板と下側のスレート板との段差部分を板状の段差解消部材で埋めて、その上に取付具を固定すると共に、取付具に板状の高さ位置調整部材を介して固定部材（押え具）でソーラーパネルをねじ締め固定することが記載されている。
【先行技術文献】
【特許文献】
【０００７】
【特許文献１】特開２０１３−５３４１０号公報
【特許文献２】特開２０００−１２９８７０号公報
【特許文献３】特開２０１１−２４７００４号公報
【発明の概要】
【発明が解決しようとする課題】
【０００８】
しかしながら、例えば、特許文献２に記載された構造にあっては、スレート葺き屋根に対する屋根上設置パネル（載置パネル）の上下位置調整をボルトとナットでねじ込み式に行なうために、調整作業が面倒であるという懸念があった。
【０００９】
また、特許文献３に記載された構造にあっては、上下の各スレート板のなす段差を解消するための部材や、スレート屋根に対するソーラーパネル（載置パネル）の高さ調整用の部材を取付具とは別体に設けなければならず、取付工数やコストが増加し兼ねないという懸念があった。
【００１０】
本発明は、上記した点に鑑み、スレート屋根等といった取付側部分に対する、ソーラーパネル等といった載置パネルの高さ調整を容易に行なうことのできるパネル取付用金具を提供することを目的とする。
【課題を解決するための手段】
【００１１】
上記目的を達成するために、本発明の請求項１に係るパネル取付用金具は、スレート屋根等といった取付側部分に、ソーラーパネル等といった載置パネルを固定するためのパネル取付用金具であって、一対の内側の側壁と、一対の外側の側壁と、該一対の内側の側壁を連結し、前記取付側部分又は前記載置パネル側の何れか一方に固定される第一の基壁と、該一対の外側の側壁を連結し、前記取付側部分又は前記載置パネル側の何れか他方に固定される第二の基壁と、該一対の内側の側壁の外面において高さ方向に並列に設けられた高さ調整用の複数の外向きの歯部と、該一対の外側の側壁の内面において高さ方向に並列に設けられ、該外向きの歯部に係合する高さ調整用の複数の内向きの歯部と、各歯部の係合状態で、該一対の外側及び内側の側壁を相互に固定する締付部材と、を備えたことを特徴とする。
【００１２】
上記構成により、一例として、第一の基壁が取付側部分に固定され、その状態で、一対の内側の側壁における外向きの歯部に対して、一対の外側の側壁における内向きの歯部の係合（歯合）位置を高さ方向に適宜変えることで、パネル取付用金具の高さ調整、すなわち取付側部分に対する載置パネルの高さ調整が行なわれる。内外の各歯部の係合状態で、外側及び内側の各側壁が締付部材で相互に固定される。第二の基壁は載置パネル側に固定される。他の例として、上記とは逆に、第一の基壁を載置パネル側に固定し、第二の基壁を取付側部分に固定することも可能である。その場合、一対の外側の側壁の内向きの歯部に対して、一対の内側の側壁の外向きの歯部の係合（歯合）位置を高さ方向に適宜変えることで、パネル取付用金具の高さ調整が行なわれる。
【００１３】
請求項２に係るパネル取付用金具は、請求項１記載のパネル取付用金具において、前記一対の外側の側壁のうちの何れか一方の側壁が前記第二の基壁とは分離され、該一方の側壁に、該第二の基壁に重なる可動壁が設けられ、前記締付部材による固定解除状態で、該可動壁が、前記内側の側壁に対して該一方の側壁を外側に開く方向に、且つ前記歯部同士の係合を解除するまで移動可能であることを特徴とする。
【００１４】
上記構成により、締付部材の締付解除状態で、可動壁を外側の一方の側壁と共に外向きに開くことで、内側の側壁の外向きの歯部と外側の側壁の内向きの歯部との係合が解除される。この状態で高さ調整（内外の各歯部の係合位置を高さ方向に変える操作）が作業性良く行なわれる。可動壁を外側の一方の側壁と一体的に内向きに閉じることで、内外の各歯部が係合する。締付部材の締付操作で内外の側壁が相互に固定される。
【００１５】
請求項３に係るパネル取付用金具は、請求項２記載のパネル取付用金具において、前記可動壁の先端に縦方向の内側の突部が設けられ、前記第二の基壁に、縦方向の支持壁と、該支持壁の先端から外向きに突出した鍔壁と、該鍔壁の先端から縦方向に突出し、該内側の突部に対向する外側の突部と、が設けられ、該第二の基壁と該鍔壁との間に該可動壁及び該内側の突部が内外方向スライド自在に係合したことを特徴とする。
【００１６】
上記構成により、前記締付部材の締付解除状態で、可動壁を外側の一方の側壁と共に外向きに開いた際に、可動壁及び内側の突部が、第二の基壁と該鍔壁との間で外向きにスライド移動し、内側の突部が第二の基壁側の外側の突部（ストッパ）に突き当たって、それ以上の（不必要な）開き操作が規制されると共に、可動壁の外向きの抜け出しが抑止される。可動壁を内向きに閉じた際に、可動壁及び内側の突部は第二の基壁と該鍔壁との間に収容される。
【００１７】
請求項４に係るパネル取付用金具は、請求項２又は３記載のパネル取付用金具において、前記一対の内側の側壁又は前記一対の外側の側壁の何れか一方に、高さ方向に長い孔部が設けられ、前記一対の内側の側壁又は前記一対の外側の側壁の何れか他方に、高さ方向に短い孔部が設けられ、該長い孔部と該短い孔部とに前記締付部材であるボルトが挿通されると共に該ボルトにナットが螺合され、完全締付状態の該ナットから該ボルトの先端側が突出することを特徴とする。
【００１８】
上記構成により、ボルトとナットの締付解除状態で、可動壁を外側の一方の側壁と共に外向きに開く際に、ボルトを取り外すことなく、またナットをボルトから離脱させずにボルトの先端側に保持させた状態で、可動壁を外側の一方の側壁と共に外向きに開いて、各歯部の係合を解除することができる。また、長い孔部の長さの範囲内で、一対の内側の側壁と一対の外側の側壁の相対的な高さ調整が行なわれる。その際、ボルトは短い孔部に保持され、長い孔部はボルトに沿って上下方向にスムーズに案内される。
【００１９】
請求項５に係るパネル取付用金具は、請求項４記載のパネル取付用金具において、前記第二の基壁に設けた孔部に第二のボルトが上向きに挿通され、前記一対の内側の側壁の間において前記締付部材であるボルトにスリーブが外挿され、該第二のボルトの下側の頭部が該スリーブに対向し、該頭部と該スリーブとの間の隙間が、該孔部からの該第二のボルトの突出長さよりも小さく規定されたことを特徴とする。
【００２０】
上記構成により、第二のボルトが下降した際に、第二のボルトの頭部がスリーブに当接して、第二のボルトのそれ以上の下降（没落）が抑止される。それにより、第二のボルトが常に孔部から上向きに突出し、第二のボルトを載置パネル側に締め付ける操作が作業性良く行なわれる。スリーブはボルト（締付部材）の締付時の内外の側壁の内向きの倒れ（撓み）を抑止する。
【発明の効果】
【００２１】
請求項１記載の発明によれば、内側の側壁の外向きの歯部と外側の側壁の内向きの歯部との係合位置を高さ方向に適宜変えることで、パネル取付用金具の高さ調整、すなわちスレート屋根等といった取付側部分に対する、ソーラーパネル等といった載置パネルの高さ調整を容易に行なうことができる。
【００２２】
請求項２記載の発明によれば、可動壁を外側の一方の側壁と共に外向きに開くことで、内外の各歯部の係合操作及び係合解除操作を容易に行なうことができる。これにより、パネル取付用金具の高さ調整を一層容易に行なうことができる。
【００２３】
請求項３記載の発明によれば、可動壁を外側の一方の側壁と共に外向きに開いた際に、内外の突部が当接して、可動壁の抜け出しを抑止することができる。これにより、パネル取付用金具の高さ調整を作業性良く行なうことができる。また、可動壁を外側の一方の側壁と共に内向きに閉じた際に、可動壁と内側の突部を第二の基壁と鍔壁との間に収容して、見栄えを向上させることができる。
【００２４】
請求項４記載の発明によれば、ボルトを取り外すことなく、またナットをボルトから離脱させずにボルトの先端側に保持させた状態で、可動壁を外側の一方の側壁と共に外向きに開いて、各歯部の係合を解除することができる。また、ボルトを短い孔部に保持した状態で、長い孔部をボルトに沿って上下方向に案内することで、内外の各側壁を長い孔部の短径方向の位置ずれなく上下方向にスムーズに移動することができる。これらにより、パネル取付用金具の高さ調整を一層容易に行なうことができる。
【００２５】
請求項５記載の発明によれば、第二のボルトの没落をスリーブで防止して、第二のボルトを常に孔部から上向きに突出させることで、第二のボルトを載置パネル側に締め付ける操作を作業性良く行うことができる。
【図面の簡単な説明】
【００２６】
【図１】本発明のパネル取付用金具の一実施形態を示す前側から見た斜視図である。
【図２】同じくパネル取付用金具を示す後側から見た斜視図である。
【図３】同じくパネル取付用金具を示す左側から見た側面図である。
【図４】同じくパネル取付用金具を示す下側から見た平面図である。
【図５】パネル取付用金具を適用可能な取付側部分としてのスレート屋根の一形態を示す斜視図（円内は拡大図）である。
【発明を実施するための形態】
【００２７】
図１〜図４は、本発明のパネル取付用金具の一実施形態を示すものである。
【００２８】
このパネル取付用金具１は、例えば図５に示すスレート屋根４等といった取付側部分に固定される内側金具２と、不図示のソーラーパネル等といった載置パネル側に固定される外側金具３と、内側及び外側の各金具２，３を相互に固定する締付部材としてのボルト５及びナット６（図２）と、外側金具３を載置パネル側に固定するボルト（第二のボルト）８とを備えたものである。
【００２９】
内側金具２は断面凹字状に形成され、水平な底壁（第一の基壁）９と、底壁９の前後に垂直に立ち上げられた前後一対の側壁（内側の側壁）１０，１１とを備えている。一対の側壁１０，１１は底壁９で連結されている。底壁９に固定用の複数の円孔（孔部）１２（図４）が左右方向に並列に設けられ、各側壁１０，１１の外面１０ａ，１１ａに断面矩形波状（凹凸状）をなす複数の歯部（外向きの歯部）１３が外向きに突出して設けられている。円孔１２に不図示のねじ釘やボルト等といった部材を上方から下向きに挿通して、底壁９がスレート屋根４等といった取付側部分に固定される。
【００３０】
各側壁１０，１１の外向き（内側）の各歯部１３は、上下（高さ）方向に等ピッチＰで複数並列に配設され、前後方向に対称に、且つ左右方向に各側壁１０，１１の左端から右端まで水平に且つ真直に延長形成されている。図３の如く、各歯部１３は略水平な上面１３ａ及び下面１３ｂと垂直な突出先端面１３ｃとを有している。各歯部１３の上面１３ａ及び下面１３ｂは各側壁１０，１１の外面１０ａ，１１ａに交差して続いている。各歯部１３の突出量Ｈは側壁１０，１１の各板厚Ｔよりも小さい。各歯部１３が各凸部をなし、上下の隣接する各歯部１３の間に凹部空間１３ｄが形成されている。
【００３１】
図３の如く、本例において、下端の歯部１３Ａは側壁１０，１１の下端よりも上方に距離をあけて配置され、上端の歯部１３Ｂは側壁１０，１１の上端よりも下方に距離をあけて配置され、各側壁１０，１１の下部及び上部は平坦な外面１０ａ，１１ａを有している。各側壁１０，１１の上端面１０ｂ，１１ｂは同一の高さに位置している。
【００３２】
なお、明細書において、前後左右の方向は説明の便宜上のものであり、スレート屋根４等といった取付側部分へのパネル取付用金具１の取付方向に一致するとは限らない。また、水平・垂直はあくまで図面におけるものであり、取付側部分４へのパネル取付用金具１の取付時におけるものとは限らない。
【００３３】
図１，図２の如く、外側金具３は、水平な天壁（第二の基壁）１４と、天壁１４の前側において下向きに直交して一体に続く前側（一方）の側壁１５と、天壁１４の後側において前側の側壁１５に対向して天壁１４とは別体に形成され、天壁１４側に前後（内外）方向移動自在に連結された後側（他方）の側壁１６とを備えている。
【００３４】
外側の各側壁１５，１６の内面１５ａ，１６ａに、内側金具２の各歯部１３に歯合する複数の歯部（内向きの歯部）１７が内向きに突出して設けられている。各歯部１７は、上下（高さ）方向に等ピッチＰで複数並列に配設され、前後方向に対向し、且つ左右方向に各側壁１５，１６の左端から右端まで水平に且つ真直に延長形成されている。
【００３５】
図３の如く、内向き（外側）の各歯部１７は略水平な上面１７ａ及び下面１７ｂと垂直な突出先端面１７ｃとを有している。各歯部１７の上面１７ａ及び下面１７ｂは各側壁１５，１６の内面１５ａ，１６ａに交差して続いている。各歯部１７の突出量Ｈは各側壁１５，１６の板厚Ｔよりも小さい。各歯部１７が内側金具２の歯部１３の凹部空間１３ｄに係合する各凸部をなし、隣接する各歯部１７の間に、内側金具２の歯部（凸部）１３を係合させる凹部空間１７ｄが形成されている。
【００３６】
各歯部１７は内側金具２の各歯部１３に対して左右方向（歯部１３の長手方向に沿って）スライド自在に係合している。すなわち、外側金具３の高さ調整用の内向きの複数の歯部１７は、内側金具２の外向きの複数の歯部１３にその並び方向とは直交する方向で且つ内側金具２の側壁１０，１１の外面１０ａ，１１ａに沿う方向にスライド自在に係合している。
【００３７】
図３の如く、本例において、外側金具３の下端の歯部１７Ａは各側壁１５，１６の下端１５ｂ，１６ｂよりも上方に距離をあけて配置され、上端の歯部１７Ｂは各側壁１５，１６の上端よりも下方に距離をあけて配置されている。外側の下端の歯部１７Ａの上方に内側の下端の歯部１３Ａが位置し、外側の上端の歯部１７Ｂの下方に内側の上端の歯部１３Ｂが位置している。各側壁１５，１６の下部及び上部は平坦な内面１５ａ，１６ａを有している。各側壁１５，１６の下端面１５ｂ，１６ｂは同じ高さに位置している。外側の側壁１５，１６における後述の長孔２６（図１）を長く設定すれば、外側且つ下端の歯部１７Ａを内側且つ上端の歯部１３Ｂに係合させる（パネル取付用金具１を最も高く位置調整する）ことも可能である。
【００３８】
前側の側壁１５の上部の平坦な内面１５ａの高さ方向中間部に、内側金具２の前側の側壁１０の上端面１５ｂを当接可能な鍔壁（停止壁）１８が内向き且つ水平に突出して設けられている。また、後側の側壁１６にはその上端から内向きに折れ曲がるように突出した鍔壁（可動壁）１９が水平に設けられ、鍔壁１９にはその突出先端から下向き（縦方向）に停止（引掛け）用の突部（内側の突部）２０が垂設されている。
【００３９】
後側の側壁１６の鍔壁１９は、例えば側壁１６の歯部１７の突出量Ｈと内側金具２の側壁１１の板厚Ｔとの総和Ｔ１よりも大きく内向きに突出され、停止用の突部２０の外面２０ａと側壁１６の内面１６ａとの間の前後方向距離は、前記総和の距離Ｔ１とほぼ等しく規定されている。鍔壁１９と停止用の突部２０は側壁１６の左端から右端にかけて真直に延長形成されている。
【００４０】
後側の側壁１６とその歯部１７と鍔壁（可動壁）１９と停止用の突部２０とで、前後方向に移動可能な可動部材２１が構成されている。また、前側の側壁１５とその歯部１７と鍔壁１８と天壁１４等とで、可動部材２１に対する支持部材３Ａが構成されている。ボルト５とナット６の締付解除状態で、内側金具２に対して支持部材３Ａは可動部材２１と同様にボルト５の軸方向に沿って外向きに（支持部材３Ａは前方向に、可動部材２１は後方向に）開き可能である。内側金具２は固定側金具であり、外側金具３は可動側金具である。
【００４１】
前側の側壁１５に直交して続く天壁１４の後端１４ａは、後側の側壁１６とは分離された自由端となっている。天壁１４の後端側の下面１４ｂに垂直な支持壁２２が下向き（縦方向）に突出して設けられ、支持壁２２の下端から外向き（後向き）に水平な鍔壁２３が突出して設けられ、鍔壁２３の突出先端に上向き（縦方向）の垂直な停止（引掛け）用の突部（外側の突部）２４が設けられている。支持壁２２と鍔壁２３と停止用の突部２４とは天壁１４の左端から右端にかけて真直に延長形成されている。
【００４２】
天壁１４と支持壁２２と鍔壁２３とで三方を囲まれて、可動部材２１の鍔壁１９及び停止用の突部２０を左右方向スライド自在に係合・収容する横溝２５が形成されている。天壁１４の下面１４ｂと鍔壁２３の上面との間の垂直距離は、可動部材２１の鍔壁１９の上面と停止用の突部２０の下端との間の垂直距離よりも若干大きい。天壁１４の下面１４ｂと停止用の突部２４の上端との間の隙間（垂直距離）は、可動部材２１の鍔壁１９の板厚よりも若干大きい。
【００４３】
天壁１４の後端部１４ａの下側に、隙間に続く傾斜面１４ｃが設けられている。例えば、可動部材２１を後述のように外向きに開く際に、突部２０を支点として可動部材２１を上向きに回動させつつ鍔壁１９を傾斜面１４ｃに沿わせることで、その開き量を拡大することができる。
【００４４】
外側金具３の単体状態（内側金具２に組み付ける前の状態）で、例えば、可動部材２１の鍔壁１９及び突部２０を天壁１４側の横溝２５内に左右方向にスライドさせて組み付ける。あるいは、可動部材２１の突部２０を天壁１４の傾斜面１４ｃに沿って隙間から横溝２５内に図３で反時計回りに回し入れる。これらにより、可動部材２１が天壁１４側に前後（内外）方向スライド自在に連結される。
【００４５】
可動部材２１の停止用の突部２０は天壁１４側の停止用の突部２４の内側に対向して位置し、両突部２０，２４の間の前後方向距離は、例えば側壁１６の板厚Ｔ程度に、すなわち歯部１７の突出量Ｈの二倍以上に規定されている。それにより、前後の側壁１５，１６をボルト５とナット６で締め付ける前の状態において（ナット６はボルト５に緩く螺合していてよい）、内側金具２の各側壁１０，１１に対して外側金具３の各側壁１５，１６を外向きに開くことができる。
【００４６】
外側金具３の後側の側壁１６すなわち可動部材２１を外向きに開いた際に、可動部材２１の突部２０の外面２０ａが天壁１４側の突部２４の内面２４ａに当接して、側壁１６のそれ以上の開きが抑止される。後側の側壁１６の開き動作で前側の側壁１５が外側に開き自在となる。それにより、外側金具３の前後の各側壁１５，１６の内向きの歯部１７と内側金具２の前後の側壁１０，１１の外向きの歯部１３との係合（歯合）が解除される。
【００４７】
各歯部１３，１７の係合解除状態で、内側金具２の歯部１３に対して外側金具３の歯部１７を歯部１３の並び方向の範囲又は後述の長孔２６の長さの範囲で上下方向に移動させて（各図の状態から上向きに移動させて）、内外の各金具２，３の歯部１３，１７の係合位置を変えることで、内側金具２に対する外側金具３の高さを調整することができる。
【００４８】
天壁１４側の鍔壁２３の下面は、前側の側壁１５の鍔壁１８の下面と同一高さに配置されている。図１〜図３の如く、内側金具２に対して外側金具３を最も低く位置させた際に、内側金具２の各側壁１０，１１の上端に外側金具３の各鍔壁１８，２３の下面が当接して支持される。外側金具３の各側壁１５，１６の下端１５ｂ，１６ｂは内側金具２の底壁９の下面よりも少し高く位置する。
【００４９】
外側金具３の前後の各側壁１５，１６の左右（長手）方向中央に、ボルト挿通用の上下方向に長い長孔（長い孔部）２６（図１，図２）がそれぞれ設けられ、内側金具２の前後の各側壁１０，１１の左右（長手）方向中央且つ上部に同じくボルト挿通用の円孔（短い孔部）２７（図１）が設けられている。円孔２７の内径は長孔２６の短径と同程度である。前側の側壁１５の長孔２６から内側の前後の側壁１０，１１の円孔２７を経て後側の側壁１６の長孔２６にボルト５が水平に挿通される。ボルト５にはスリーブ７（図３）及びワッシャ２８（図２）が外挿されると共にナット６が螺合される。
【００５０】
ボルト５の頭部５ａ（図４）は前側の側壁１５の長孔２６（図１）の周縁に当接する。スリーブ７（図３）は内側金具２の前後の側壁１０，１１の間に配置され、スリーブ７の前後の端面が各側壁１０，１１の内面に近接ないし接触して、ボルト５の締付時の各側壁１０，１１、１５，１６の内向きに倒れ（撓み）が抑止される。ボルト５の雄ねじ軸の長さは、例えば図３のボルト５にナット６を本締め（完全締付）した際に、ナット６から雄ねじ軸がナット一つ分程度突出する長さ（雄ねじ軸の突出長さを符号Ｌで示す）に規定されている。
【００５１】
ナット６の完全締付状態においてナット６からのボルト５の突出長さ（余長）Ｌがあることで、ボルト５の先端側にナット６を保持した状態で、歯部１３，１７同士の係合を解除するまで可動部材２１を外向きに移動させることができる。例えば、ボルト５の突出長さＬは、歯部１３，１７同士の係合を解除するまで可動部材２１を外向きに移動可能な長さに規定されている（ナット６がボルト５に引っ掛かる程度に螺合してもよい場合は、突出長さＬはそれ以下でもよい）。
【００５２】
例えばボルト５の先端側にナット６を緩く仮締め（保持）した状態で、内側金具２に対して外側金具３の可動部材２１（後側の側壁１６）及び支持部材３Ａ（前側の側壁１５）をそれぞれ離間する方向に外向きに開き、外側金具３を上下方向に移動させて高さ調整する。この際、ボルト５が内側金具２の円孔２７（図１）に保持され、外側金具３の長孔２６がボルト５に沿って上下方向にスムーズに案内されつつ、ボルト５で内側金具２と外側金具３の左右方向（歯部長手方向）の位置ずれが抑止される。
【００５３】
なお、長孔２６を内側金具２の各側壁１０，１１に設け、円孔２７を外側金具３の各側壁１５，１６に設けることも可能である。この場合は、内側金具２に対して外側金具３の可動部材２１（後側の側壁１６）及び支持部材３Ａ（前側の側壁１５）を外向きに開き、外側金具３を上下方向に移動させて高さ調整する際に、ボルト５が外側金具３の円孔２７に保持されて外側金具３と一体に移動し、内側金具２の長孔２６に沿ってボルト５が径方向に外側金具３と一体に案内されつつ、ボルト５で内側金具２と外側金具３の左右方向（歯部１３，１７の長手方向）の位置ずれが抑止される。
【００５４】
例えば、円孔２７を外側金具３の各側壁１５，１６に設けた場合は、円孔２７の内周に不図示の雌ねじを形成して雌ねじ孔とし、ナット６を排除して、雌ねじ孔にボルト５を直接螺合させることも可能である。その場合、前側の側壁１０，１５同士、及び後側の側壁１１，１６同士を、ボルト５の半分以下の長さの不図示の短い各ボルトで締付固定することも可能である。外側金具３の側壁１５，１６は外側の側壁とも称され、内側金具２の側壁１０，１１は内側の側壁とも称される。
【００５５】
図１〜図３の如く内側金具２に対して外側金具３が最も低く位置した際に、ボルト５は長孔２６の上端側に位置する。図１，図２の如く、外側金具３の長孔２６の内側の周縁には、前後の側壁１５，１６の内面側の歯部１７が形成されている。内側金具２の円孔２７の外側の周縁には、前後の側壁１０，１１の外面側の歯部１３が形成されている。長孔２６内に内側金具２の歯部１３が露出して見えるので、高さ調整時の位置を目視で確認可能である。
【００５６】
図１〜図４に示すボルト５の完全締付時に、内側及び外側の金具２，３の各歯部１３，１７が歯合（係合）した状態で歯部１３，１７の突出方向に押接されている。可動部材２１の鍔壁１９と突部２０の内面２０ｂは、天壁１４側の支持壁２２の外面に若干の隙間を存して非接触で対向している。天壁１４側の鍔壁２３及び突部２４の外面２４ｂは可動部材２１の側壁１６の内面１６ａに当接している。各歯部１３，１７同士の押接及び上部側の突部２４と側壁１６の当接でボルト５の締付力が高さ方向に均一に分散されている。
【００５７】
図１の如く、外側金具３の天壁１４の上面の中央には、別体の環状のワッシャ（ないし一体のボス部）２９が設けられると共に、天壁１４の中央にボルト挿通用の円孔（符号２９ａで代用）が設けられ、天壁１４の下方から不図示の円孔及びワッシャ（ボス部）２９の円孔２９ａを経て上向きにボルト８が挿通されている。ワッシャ（ないしボス部）２９は天壁１４の一部である。
【００５８】
図３の如く、天壁１４の下面には、上向きのボルト８の下側の六角形の頭部８ａの二面を接触ないし近接して回り止めするための一対の突部３０が下向きに設けられている。図１の如く、本例の回り止め用の突部３０は天壁１４の左端から右端まで真直に延長形成されている。なお、ボルト８の頭部８ａの位置のみに一対の回り止め用の突部３０を設けることも可能である。
【００５９】
ボルト８の下側の頭部８ａは、水平なボルト５側のスリーブ７（図３）の真上に対向して位置し、頭部８ａとスリーブ７の頂部との間の隙間Ｓは、天壁１４側の円孔２９ａからのボルト８の上向きの突出長さＬ１よりも小さく規定されている。従って、たとえボルト８が下がっても、その頭部８ａがスリーブ７の頂部に当接して、それ以上のボルト８の下がり（引っ込み）が防止される。
【００６０】
縦方向のボルト８は、横方向のスリーブ７及びボルト５を組み付ける前に、天壁１４及びワッシャ（ボス部）２９の円孔２９ａに挿通される。縦方向のボルト８は不図示のソーラーパネル等といった載置パネル側に不図示のナットで締付固定される。
【００６１】
例えば、天壁１４の上面ないしワッシャ（ボス部）２９の上面に不図示の載置パネルのパネルフレーム等を載置し、上向きのボルト８と不図示のナットで載置パネルを直接締付固定してもよく、不図示の押え金具をボルト８に不図示のナットで締付固定して、この押え金具で載置パネルを押えて固定してもよい。これら載置パネル側への外側金具３の固定手段（方法）や、スレート屋根４（図５）等といった取付側部分に対する内側金具２の固定手段（方法）は、必要に応じて適宜設定される。
【００６２】
例えば図５に示すスレート屋根４に、内側金具２の底壁９がその円孔１２（図４）に挿通したねじ釘等でねじ締め固定される。この場合、屋内への雨水浸入防止のためにスレート屋根４の棟に向けて（矢印Ｙ方向に）各スレート板３１が順次上重ねに複数段に重ねられている関係で、その段差Ｈ１を吸収する必要がある。そこで、例えばスレート屋根４の上半側４Ａに配置される一方のパネル取付用金具１に対して、スレート屋根４の下半側４Ｂに配置される他方のパネル取付用金具１の高さを高く調整する。
【００６３】
例えば、図１〜図３に示す最も低い状態のパネル取付用金具１を図５のスレート屋根４の上半側４Ａに固定する。そして、他方のパネル取付用金具１の内側金具２をスレート屋根４の下半側４Ｂに固定し、内側金具２に対して外側金具３を横方向のボルト５で仮止めした（図３のボルト５の先端側Ｌにナット６を緩く仮締めした）状態で、可動部材２１を外側に開いて、外側金具３の各側壁１５，１６を内側金具２の各側壁１０，１１から外向きに離間させ、それにより各歯部１３，１７の係合（歯合）を解除し、その状態で外側金具３を内側金具２に対して所要寸法（図５の段差寸法Ｈ１）だけ上向きに移動させる。
【００６４】
パネル取付用金具１をスレート屋根４に固定する際には、内外の金具２，３を分離した（ばらした）状態で、先ず内側金具２の底壁９を上方からねじ釘等でスレート屋根４に固定する。次いで外側金具３を上方から内側金具２に被せるようにして組み付ける。その際、可動部材２１は外向きに開いておき、スレート屋根４の段差Ｈ１に応じて内側金具２の外向きの歯部１３に対する外側金具３の内向きの歯部１７の係合位置（高さ）を適宜変えて高さ調整を行ないつつ、内側金具２に外側金具３を締付部材であるボルト５とナット６の締付で固定する。
【００６５】
可動部材２１を設けない場合（例えば前後の側壁１５，１６と天壁１４を一体に形成した場合）は、内側金具２の歯部１３に外側金具３の歯部１７を左右方向（歯部長手方向）にスライドさせて係合又は離脱させる必要があるが、可動部材２１を設けたことで、内外の各歯部１３，１７を左右方向（歯部長手方向）にスライドさせる必要がなくなり（前後方向（歯部突出方向）にスライド係合すればよい）、パネル取付用金具１の組付作業及び高さ調整作業が効率良く行なわれる。本例の各歯部１３，１７は左右方向（歯部長手方向）及び前後方向（歯部突出方向）にスライド係合可能である。
【００６６】
図５のスレート屋根４の段差寸法Ｈ１は例えば現場で計測して求める。例えば、隣合う上下二枚のスレート板３１の段差Ｈ２と歯部１３，１７のピッチＰ（図１）を同一に設定しておけば、スレート屋根４の上半側４Ａにおける一方のパネル取付用金具１からｎ枚目のスレート板３１に下半側４Ｂの他方のパネル取付用金具１を設置する際に、段差寸法Ｈ１、すなわち内側の歯部１３に対する外側の歯部１７の上向きの移動量は、段差Ｈ２×ｎで簡単に求めることができる。
【００６７】
外側金具３を内側金具２に対して所要寸法分、上向きに移動させ、内外の各側壁１０，１１、１５，１６の歯部１３，１７を仮係合させた状態で、横方向のボルト５に仮締めしたナット６を本締めして、各歯部１３，１７をしっかりと結合させる。その状態で、ソーラーパネル等といった不図示の載置パネルを前述の固定手段（方法）で上向きのボルト８に締付固定する。
【００６８】
使用するパネル取付用金具１の数は、例えば一枚の載置パネルに対して前後左右の四つ、あるいは二つの連続する載置パネルに対して前後左右に四つ、中間（二つの載置パネル間）に二つといったように適宜設定される。何れも段差Ｈ１によって下側となるパネル取付用金具１の高さを上記のように調整して段差Ｈ１を吸収する。高さ調整の必要のない上半側４Ａのパネル取付用金具としては高さ調整機構を持たない不図示のパネル取付用金具を使用することも可能である。
【００６９】
例えばスレート屋根４において、スレート板３１の段差Ｈ１以外に、例えば同じ高さの各スレート板３１の横並び方向（図５の矢印Ｘ方向）のスレート屋根４自体の高さ変動等がある場合は、その高さ変動等をもパネル取付用金具１を用いて上記のように調整・吸収可能である。
【００７０】
パネル取付用金具１は、スレート屋根４以外にも、例えば不図示の折板屋根等における高さ変動をも上記のように調整して吸収可能である。また、各種屋根以外に、例えば、屋上や地面等に設けた架台等といった不図示の取付側部分にパネル取付用金具１を取り付ける際に、架台等といった取付側部分の高さ変動を上記のように調整して吸収可能である。
【００７１】
また、高さ変動のさほどない屋根や水平な架台等といった取付側部分に、ソーラーパネル等といった不図示の載置パネルを傾斜状に設置する場合に、一方のパネル取付用金具１を低く配置し、他方のパネル取付用金具１を各歯部１３，１７の並び方向の範囲内又は長孔２６の長さの範囲内で高く配置することで、載置パネルに傾斜をつけることも可能である。この場合、歯部１３，１７の並び方向の範囲すなわち各歯部１３，１７の数は図１〜図３におけるよりも多く設定し、それに応じて各側壁１０，１１、１５，１６の高さも適宜増加可能である。
【００７２】
このことは、傾斜した屋根や架台等といった取付側部分に、ソーラーパネル等といった不図示の載置パネルを傾斜状に（取付側部分の傾斜をなくす方向に載置パネルを傾斜させたり、取付側部分の傾斜をさらに増す方向に載置パネルを傾斜させて）設置する場合においても同様である。
【００７３】
なお、上記実施形態においては、外側金具３において、天壁１４側の横溝２５に可動部材２１の上側の鍔壁（可動壁）１９や突部２０を前後方向移動自在に連結したが、例えば、横溝２５、支持壁２２、鍔壁２３、突部２０，２４を排除し、可動部材２１の鍔壁１９を前向きに延長して第二の天壁（可動壁）（１９）とし、天壁１４と前側の側壁１５とで断面略Ｌ字状をなす支持部材３Ａに対して断面略逆Ｌ字状の可動部材２１を構成し、第二の天壁（１９）に上向きのボルト８を挿通する不図示の孔部（長孔）を前後方向に長く形成し、天壁１４及び第二の天壁（１９）を板厚方向に重ね、第二の天壁（１９）の不図示の長孔から天壁の円孔２９ａにかけてボルト８を上向きに挿通し、第二の天壁（１９）の不図示の長孔の長さの範囲で可動部材２１を前後（内外）に移動可能とすることも可能である。
【００７４】
この場合、第二の天壁（１９）は天壁１４の上側又は下側に重ねて配置するが、下側に重ねて配置する場合は、ボルト回り止め用の突部３０は排除する。上側に重ねて配置する場合は、環状のワッシャ（ボス部）２９は省略可能である。その他の部分の構成は図１〜図３におけると同様である。第二の天壁（１９）は天壁１４の下側に重ねられることが、既に配置された場合における載置パネルに第二の天壁（１９）を接触させずに開閉移動する上で好ましい。
【００７５】
また、上記実施形態においては、内側金具２の底壁９を屋根４等の取付側部分に固定し、外側金具３の天壁１４側のボルト８にソーラーパネル等の載置パネル側を固定したが、例えば、図１〜図３のパネル取付用金具１を上下反転して使用することも可能である。
【００７６】
その場合、例えば、外側金具３の天壁１４側のワッシャ（ボス部）２９やボルト回り止め用突部３０を排除すると共に、天壁１４に図４の複数の円孔１２を設け、内側金具２の底壁９の中央にボルト挿通孔２９ａを設けて縦方向のボルト８を挿通し、天壁１４を底壁として屋根４等の取付側部分に固定し、底壁９を天壁として上向きのボルト８でソーラーパネル等の載置パネル側を固定する。その他の部分の構成は図１〜図３におけると同様である。天壁１４が底壁として取付側部分４に固定されても、可動部材２１は天壁（底壁）１４とは独立して外向きに開き可能であるので、内側及び外側の金具２，３の各歯部１３，１７の係合解除及びその状態での高さ調整は可能である。
【００７７】
また、上記実施形態においては、支持部材３Ａと可動部材２とで外側金具３を構成したが、例えば可動部材２１を排除して、外側金具３の前後の側壁１５，１６と天壁１４とを一体に形成することも可能である。この場合は、前後の側壁１５，１６を外向きに開くことができないので、外側金具３の各側壁１５，１６の歯部１７を内側金具３の各側壁１０，１１の歯部１３に対して左右方向（歯部長手方向）にスライドさせて、外側金具３を内側金具２から離脱させ、且つ外側金具３を内側金具２に組み付ける。
【００７８】
外側金具３を横スライド式に内側金具２から離脱させた状態で、各歯部１３，１７の係合位置すなわち内側金具２に対する外側金具３の高さを変えて、再度、外側金具３の各側壁１５，１６の歯部１７を内側金具２の各側壁１０，１１の歯部１３に左右方向（歯部長手方向）にスライド係合させて、外側金具３を内側金具２に組み付ける。この構成がパネル取付用金具１の基本となる。この構成は、例えば内側及び外側の金具２，３の左右方向の長さ、すなわちスライド長さを短く（例えば図１の金具２，３の半分程度の長さに）規定した場合に有用である。図１〜図４の実施形態においても内側及び外側の金具２，３の長さを同様に短く設定可能である。
【００７９】
その他、従来公知の知見に従い、本発明のパネル取付用金具１を適宜改変することができる。かかる改変によってもなお本発明のパネル取付用金具１の構成を具備する限り、勿論、本発明の範疇に含まれる。また、本発明は、パネル取付用金具として以外に、パネル取付用金具の取付構造やパネル取付用金具を用いたパネル取付構造等としても有効なものである。
【産業上の利用可能性】
【００８０】
本発明のパネル取付用金具は、スレート屋根等といった取付側部分に対する、ソーラーパネル等といった載置パネルの高さ調整を容易に行なうために利用することができる。
【符号の説明】
【００８１】
１              パネル取付用金具
４              スレート屋根（取付側部分）
５              ボルト（締付部材）
７              スリーブ
８              ボルト（第二のボルト）
８ａ            頭部
９              底壁（第一の基壁）
１０，１１      内側の側壁
１０ａ，１１ａ  外面
１３            外向きの歯部
１４            天壁（第二の基壁）
１５，１６      外側の側壁
１５ａ，１６ａ  内面
１７            内向きの歯部
１９            鍔壁（可動壁）
２０            内側の突部
２２            支持壁
２３            鍔壁
２４            外側の突部
２６            長孔（長い孔部）
２７            円孔（短い孔部）
２９ａ          円孔（孔部）
Ｓ              隙間
Ｌ，Ｌ１        突出長さ
【図１】
2017071921.tif 000003
【図２】
2017071921.tif 000004
【図３】
2017071921.tif 000005
【図４】
2017071921.tif 000006
【図５】
2017071921.tif 000007